(57)【要約】【課題】  水分の多い可燃物などは乾燥しないと燃えないから乾燥するが、生じた水蒸気を棄てると乾燥に必要な熱量の８６％が棄てられるので、水蒸気を加圧して飽和温度を高め被加熱物（多水分可燃物）との温度差を造り、乾燥に利用するが、多水分可燃物に臭気があるとこの方法は利用できない。【解決の手段】  そこで乾燥器の排水をボイラで臭気成分の分解に必要な温度まで乾燥した可燃物の燃焼ガス中に噴霧・噴射して加熱する。排水の固形物がボイラに入らないように固体分離器を設ける。また燃焼温度を高めるためボイラに空気予熱器を設ける。さらにボイラ効率を高めるため燃焼ガス中の水蒸気の凝縮器を設ける。【選択図】  図１
2009085573.tif 000002
【特許請求の範囲】
【請求項１】
乾燥の際発生する水蒸気をエジェクタにより加圧して飽和温度を高め、この水蒸気を被加熱物によって凝縮させる多水分可燃物の乾燥器と、これから出る排水の臭気を除くためこの乾燥可燃物を燃焼させるボイラの燃焼室にこの排水を吹込み、これを脱臭に必要な高温に加熱するボイラからなる多水分可燃物の乾燥および燃焼方法。
【請求項２】
請求項１の多水分可燃物の乾燥および燃焼方法においてボイラに燃焼ガスによって燃焼用空気を予熱する空気予熱器を設け、ボイラの燃焼室における燃焼温度を高めることを特徴とする多水分可燃物の燃焼方法。
【請求項３】
請求項１および請求項２の多水分可燃物の乾燥および燃焼方法において乾燥器の排水を固形物分離器に入れ、固形物を分離した排水のみをボイラの燃焼室に吹込むようにした多水分可燃物の乾燥および燃焼方法。
【発明の詳細な説明】
【技術分野】
【０００１】
本発明は水分の多い可燃物などの乾燥に際し生じる水蒸気の凝縮水の臭気を除く方法に関するものである。
【背景技術】
【０００２】
水分の多い可燃物などの乾燥と燃焼に対しては特許文献１（多水分可燃物の乾燥法）がある。これは、従来の水分の多い可燃物などの乾燥法では発生した水蒸気を逃がしてしまうが、その潜熱が非常に大きいので、これを回収するためエジェクタによって水蒸気を加圧して飽和温度を高め、乾燥器において被加熱物である多水分可燃物などにより冷却・凝縮して潜熱を回収する方法（ＶＲＣ法）である。
【特許文献１】特開２００７−１３２６１７
【０００３】
この方法は多水分可燃物などが臭気を持つ場合には排水に臭気が残るので利用できない。
【発明の開示】
【発明が解決しようとする課題】
【０００４】
本発明はこの欠点を除く方法を提供するものである。臭気をなくすにはどうすればよいかを考えるのが本発明の課題である。
【課題を解決するための手段】
【０００５】
臭気をなくすには臭気を有するガスなどを８００℃以上の高温にする。この高温は乾燥した可燃物などの燃焼によって造る。臭気を有する排水は噴霧してこの高温域に吹込む。
【０００６】
即ち、本発明では乾燥した可燃物を蒸気ボイラの燃焼室で燃焼させ、生じた高温の燃焼ガスに排水を噴霧して吹込み８００℃以上の高温に加熱する。
【０００７】
乾燥器の排水は臭気の他、多水分可燃物の粉塵などの固形物も含むが、これは排水の輸送と噴霧に汚れや閉塞を生じる。これを防ぐため排水がボイラに輸送・噴霧される前に固体分離器に入れ、固体を分離する。分離した固体は乾燥した可燃物と共にボイラで燃焼する。
【０００８】
水分が多く、可燃物の発熱量が少ない場合は燃焼が困難になるか、燃焼ガスの温度が低くなり、脱臭が困難または不可能になるから、燃焼ガスの温度を高めるためボイラに燃焼ガスによって加熱される空気予熱器を設け、この予熱空気を燃焼に用いて燃焼温度を高め、これによって燃焼ガス温度を高める。
【０００９】
燃焼ガスはボイラの接触伝熱面でその熱を回収され、蒸気または温水を造る。燃焼ガス中の水蒸気の潜熱を凝縮器を用いて回収するとボイラの排ガス損失が小さく、ボイラ効率が高くなる。
【発明の効果】
【００１０】
特許文献１（多水分可燃物の乾燥法）の方法による多水分可燃物などの乾燥では乾燥に際し生じた水蒸気の潜熱が回収され、効率の良い乾燥が得られるが、この方法はこの水蒸気に臭気が含まれると乾燥器の排水に臭気が残るので利用できない。
【００１１】
本発明では乾燥した可燃物を燃焼させたボイラの燃焼ガスにこの排水を噴霧・噴射して脱臭に必要な温度以上に加熱する。これによって乾燥器の排水および可燃物に含まれる臭気は分解されてなくなる。脱臭された燃焼ガスはボイラで熱回収されるが、凝縮器を設ければ燃焼ガス中の水蒸気の潜熱も回収され、ボイラ効率は向上する。
【００１２】
乾燥器の排水には多水分可燃物の粉塵などの固形物が混在するが、この排水を輸送・噴霧すると粉塵などが配管・噴霧器などに付着してトラブルを惹起するので、排水をボイラに送る前に固体分離器を設け粉塵などを取除く。
【００１３】
水分が多く、可燃物の発熱量が小さい場合はボイラに空気予熱器を設け、予熱空気を可燃物の燃焼に用いれば燃焼温度従って燃焼ガス温度が高くなり、脱臭が可能になる。
【発明を実施するための最良の形態】
【００１４】
水分の多い可燃物が臭気を持つと、乾燥に際し生じる水蒸気を加圧し飽和温度を高め、被加熱物である多水分可燃物を加熱・乾燥する方法は、乾燥器の排水に臭気が残るから使えない。
【００１５】
そこで本発明では乾燥器の排水を脱臭に必要な温度以上に加熱するが、最良の形態としては、この排水を乾燥した可燃物を燃焼させるボイラの燃焼ガス中に噴霧し噴射する。
【００１６】
排水には多水分可燃物の粉塵などの固形物が混在するが、排水をボイラに送る前に固体分離器を設け、固形物を取除く。
【００１７】
また、水分が多く、可燃物の発熱量が小さい場合には、ボイラに空気予熱器を設け、ここで得た予熱空気を燃焼に用い、燃焼温度従って燃焼ガス温度を高くする。
【００１８】
ボイラの効率を高めるには燃焼ガス中の水蒸気の潜熱を回収する凝縮器を設ける。  
【実施例】
【００１９】
図１は低位発熱量（水分２０％）１６．９MJの可燃物が水分８０％で乾燥器に１０００kg/h入る場合の本発明の乾燥・燃焼システム（構成機器・物流・熱流）の実施例を示す。
【産業上の利用可能性】
【００２０】
水分の多い可燃物などは乾燥しなければ燃焼させることはできない。乾燥の際多量の水蒸気が発生するが従来はこの水蒸気は棄てられていた。しかしこの水蒸気には潜熱が含まれるので乾燥に必要な熱量の８６％の熱量が棄てられることになる。そこで、この熱量を回収するため水蒸気を加圧し、飽和温度を高めて被加熱物（多水分加熱物）の温度との差を造り、これにより被加熱物を加熱することによって水蒸気を凝縮させ、その潜熱を回収する方法（ＶＲＣ法）が開発された。
【００２１】
しかし、この方法は多水分加熱物に臭気成分が含まれると凝縮した乾燥器の排水に臭気が残るためこれを棄てることができなくなるので排水を脱臭しなければならない。臭気成分は８００℃以上に加熱すれば分解してなくなる。本発明では乾燥器の排水を乾燥した可燃物などを燃焼するボイラの燃焼ガスの中に噴霧・噴射して蒸発させ、加熱する。
【００２２】
乾燥器の排水には多水分可燃物の粉塵などの固形物が混在するが、排水をボイラに送る前に固体分離器を設け、固形物を取除く。
【００２３】
水分が多く、可燃物の発熱量が小さい場合には予熱空気を燃焼に用い、燃焼温度・燃焼ガス温度を高くする。凝縮器を設けると燃焼ガス中の水蒸気の潜熱を回収することができる。
【図面の簡単な説明】
【００２４】
【図１】本発明の一実施例であるが、１は蒸気ボイラで、ここで水分２０％に乾燥した可燃物などを図示しない空気予熱器からの予熱空気によって燃焼させ、生じた燃焼ガス中に乾燥器の排水を噴霧・噴射して蒸発させ加熱するが、温度の下がった燃焼ガスはさらにボイラおよび凝縮器によって冷却され、７０℃の水となってボイラから出るが、これによって蒸気を得る。蒸気の一部は３のエジェクタに加圧用媒体として供給され、乾燥器の排気（水蒸気）を加圧し、加圧された水蒸気は飽和温度が被加熱物などのそれよりも高くなるので、この温度差によって２の乾燥器において被加熱物（多水分加熱物）などを加熱・乾燥する。乾燥に使われた蒸気は被加熱物によって冷却され、飽和温度の水となって乾燥器から出てボイラに供給されるが、４の固体分離器によって固体は除かれる。 図には各部・各系統の熱量も図示している。
【符号の説明】
【００２５】
１  蒸気ボイラ
２  乾燥器
３  エジェクタ
４  固体分離器
【図１】
2009085573.tif 000003